(57)【要約】【課題】大掛かりな構成を採用しなくても、複数の空間の間での温度差を小さくできる空調システムを提供する。【解決手段】空調システムが、人が出入りするための出入口３を有し、当該出入口３に扉４が設けられている空調対象空間１Ａの空調を行う空調装置２と、空調対象空間１Ａと出入口３によって繋がっている他の空間１Ｂとの間での空気の移動量を調節可能な空気移動量調節手段Ｍとを備え、空気移動量調節手段Ｍは、空調装置２の運転状態に応じて空調対象空間１Ａと他の空間１Ｂとの間での空気の移動量を調節するように構成されている。【選択図】図１
2017116231.tif 000002
【特許請求の範囲】
【請求項１】
人が出入りするための出入口を有し、当該出入口に扉が設けられている空調対象空間の空調を行う空調装置と、
前記空調対象空間と前記出入口によって繋がっている他の空間との間での空気の移動量を調節可能な空気移動量調節手段とを備え、
前記空気移動量調節手段は、前記空調装置の運転状態に応じて前記空調対象空間と前記他の空間との間での空気の移動量を調節するように構成されている空調システム。
【請求項２】
前記空気移動量調節手段は、
前記空調装置による空調が行われていないとき、前記空調対象空間から前記他の空間への空気の移動量を相対的に少ない状態に調節し、
前記空調装置による空調が行われているとき、前記空調対象空間と前記他の空間との間での空気の移動量を相対的に多い状態に調節する請求項１に記載の空調システム。
【請求項３】
前記空気移動量調節手段を複数備え、
前記空調装置が暖房運転を行っているとき、複数の前記空気移動量調節手段のうち、相対的に上方に設けられている前記空気移動量調節手段によって、前記空調対象空間から前記他の空間への空気の移動量を相対的に多い状態に調節し、
前記空調装置が冷房運転を行っているとき、複数の前記空気移動量調節手段のうち、相対的に下方に設けられている前記空気移動量調節手段によって、前記空調対象空間から前記他の空間への空気の移動量を相対的に多い状態に調節する請求項２に記載の空調システム。
【請求項４】
前記空気移動量調節手段は、
前記空調対象空間と前記他の空間との間を仕切る仕切部材又は前記出入口の前記扉に設けられ、前記空調対象空間と前記他の空間とを繋ぐ通気口と、
前記通気口を覆うことが可能な遮蔽部材と、
前記遮蔽部材を移動させて前記通気口の開口面積を調節することで、前記空調対象空間と前記他の空間との間での空気の移動量を調節可能な遮蔽部材駆動部と、
前記遮蔽部材駆動部の動作を制御する制御部とを備える請求項１〜３の何れか一項に記載の空調システム。
【請求項５】
前記空気移動量調節手段は、
前記空調対象空間と前記他の空間との間を仕切る仕切部材又は前記出入口の前記扉に設けられ、前記空調対象空間と前記他の空間とを繋ぐ通気口と、
前記通気口を通る空気の流れを作り出すことができるファンと、
前記ファンの回転速度を調節することで、前記空調対象空間から前記他の空間への前記通気口を介した空気の移動量を調節可能なファン駆動部と、
前記ファン駆動部の動作を制御する制御部とを備える請求項１〜３の何れか一項に記載の空調システム。
【発明の詳細な説明】
【技術分野】
【０００１】
本発明は、複数の空間の間での温度差を小さくできる空調システムに関する。
【背景技術】
【０００２】
特許文献１には、家屋内の複数の部屋を、設定された温度に空調する全館空調システムが記載されている。具体的には、特許文献１に記載の全館空調システムでは、空調を行いたい複数の部屋に対して各別に設けられるダクトを経由して空気を送り出す全館空調装置と、一つの部屋の空調を行うためにその部屋に設けられる個別空調装置とが混在している。そのため、通常であれば、個別空調装置が設置されている部屋の温度と、全館空調装置で空調されている部屋の温度とは別々になってしまうが、特許文献１に記載の全館空調システムでは、個別空調装置を全館空調用制御装置の制御下におくことで、個別空調装置によって空調される部屋の温度も全館空調装置によって空調される複数の部屋の温度と同じになるように空調しようとしている。
【先行技術文献】
【特許文献】
【０００３】
【特許文献１】特開２０１３−０６４５３７号公報
【発明の概要】
【発明が解決しようとする課題】
【０００４】
特許文献１に記載の全館空調システムは、空調を行いたい全ての部屋に対して、全館空調装置から空気を送り出すダクトを設置すること、或いは、個別の空調装置を設置することが必要になるため、装置が大掛かり且つ高価なものとなる。
尚、空調を行う部屋に繋がっている廊下など、人間が滞在しない空間には、全館空調装置に繋がるダクトや個別の空調装置を設置せず、空調を行わないこともできる。ところが、その場合には、空調を行っている空間と廊下などとの温度差が大きくなるという問題がある。
【０００５】
本発明は、上記の課題に鑑みてなされたものであり、その目的は、大掛かりな構成を採用しなくても、複数の空間の間での温度差を小さくできる空調システムを提供する点にある。
【課題を解決するための手段】
【０００６】
上記目的を達成するための本発明に係る空調システムの特徴構成は、人が出入りするための出入口を有し、当該出入口に扉が設けられている空調対象空間の空調を行う空調装置と、前記空調対象空間と前記出入口によって繋がっている他の空間との間での空気の移動量を調節可能な空気移動量調節手段とを備え、前記空気移動量調節手段は、前記空調装置の運転状態に応じて前記空調対象空間と前記他の空間との間での空気の移動量を調節するように構成されている点にある。
【０００７】
上記特徴構成によれば、空気移動量調節手段は、空調装置の運転状態に応じて空調対象空間と他の空間との間での空気の移動量を調節する。つまり、空気移動量調節手段によって、空調対象空間の空気（即ち、空調装置によって温度が調節された空気）を他の空間へと移動させることができる。その結果、空調装置が運転されている空調対象空間に滞在している人間が、その空調対象空間と出入口によって繋がっている他の空間へと移動したときには、他の空間の温度が空調対象空間の温度に近づいていることが期待できる。
従って、大掛かりな構成を採用しなくても、複数の空間の間での温度差を小さくできる空調システムを提供できる。
【０００８】
本発明に係る空調システムの別の特徴構成は、前記空気移動量調節手段は、前記空調装置による空調が行われていないとき、前記空調対象空間から前記他の空間への空気の移動量を相対的に少ない状態に調節し、前記空調装置による空調が行われているとき、前記空調対象空間と前記他の空間との間での空気の移動量を相対的に多い状態に調節する点にある。
【０００９】
上記特徴構成によれば、空調対象空間において空調装置による空調が行われていないとき、その空調対象空間から他の空間への空気の移動量は相対的に少なくなる。つまり、空調対象空間から他の空間への空気の移動量が少なくなるため、他の空間の空気の温度は空調対象空間の空気の温度へとそれほど近づかない。これに対して、空調対象空間において空調装置による空調が行われているとき、その空調対象空間から他の空間への空気の移動量は相対的に多くなる。つまり、空調対象空間から他の空間への空気の移動量が多くなるため、他の空間の温度が空調対象空間の温度に近くなる。その結果、空調装置が運転されている空調対象空間に滞在している人間が、その空調対象空間と出入口によって繋がっている他の空間へと移動したときには、他の空間の温度が空調対象空間の温度に近づいていることが期待できる。
【００１０】
本発明に係る空調システムの更に別の特徴構成は、前記空気移動量調節手段を複数備え、前記空調装置が暖房運転を行っているとき、複数の前記空気移動量調節手段のうち、相対的に上方に設けられている前記空気移動量調節手段によって、前記空調対象空間から前記他の空間への空気の移動量を相対的に多い状態に調節し、前記空調装置が冷房運転を行っているとき、複数の前記空気移動量調節手段のうち、相対的に下方に設けられている前記空気移動量調節手段によって、前記空調対象空間から前記他の空間への空気の移動量を相対的に多い状態に調節する点にある。
【００１１】
上記特徴構成によれば、空調装置が暖房運転を行っているときは、空調対象空間内の上方に留まっている相対的に高温の空気が、上方に設けられている空気移動量調節手段によって他の空間に移動させられる。空調装置が冷房運転を行っているときは、空調対象空間内の下方に留まっている相対的に低温の空気が、下方に設けられている空気移動量調節手段によって他の空間に移動させられる。このように、空調装置によって暖められている空気又は冷やされている空気が選択的に他の空間へ移動させられることで、他の空間の温度を空調対象空間の温度に近づけることができる。
【００１２】
本発明に係る空調システムの更に別の特徴構成は、前記空気移動量調節手段は、前記空調対象空間と前記他の空間との間を仕切る仕切部材又は前記出入口の前記扉に設けられ、前記空調対象空間と前記他の空間とを繋ぐ通気口と、前記通気口を覆うことが可能な遮蔽部材と、前記遮蔽部材を移動させて前記通気口の開口面積を調節することで、前記空調対象空間と前記他の空間との間での空気の移動量を調節可能な遮蔽部材駆動部と、前記遮蔽部材駆動部の動作を制御する制御部とを備える点にある。
【００１３】
上記特徴構成によれば、遮蔽部材を移動させて通気口の開口面積を大きくすることで、その通気口の開口部分を経由した空気の移動量を多くさせることができる。これに対して、遮蔽部材を移動させて通気口の開口面積を小さくすることで、その通気口の開口部分を経由した空気の移動量を少なくさせることができる。
【００１４】
本発明に係る空調システムの更に別の特徴構成は、前記空気移動量調節手段は、前記空調対象空間と前記他の空間との間を仕切る仕切部材又は前記出入口の前記扉に設けられ、前記空調対象空間と前記他の空間とを繋ぐ通気口と、前記通気口を通る空気の流れを作り出すことができるファンと、前記ファンの回転速度を調節することで、前記空調対象空間から前記他の空間への前記通気口を介した空気の移動量を調節可能なファン駆動部と、前記ファン駆動部の動作を制御する制御部とを備える点にある。
【００１５】
上記特徴構成によれば、ファンの回転速度を速くさせることで、通気口を経由した空気の移動量を多くさせることができる。これに対して、ファンの回転速度を遅くさせることで、通気口を介した空気の移動量を少なくさせることができる。
【図面の簡単な説明】
【００１６】
【図１】空調システムの構成を示す図である。
【図２】第１実施形態の空気移動量調節手段の構成を示す図である。
【図３】第２実施形態の空気移動量調節手段の構成を示す図である。
【図４】第３実施形態の空気移動量調節手段の構成を示す図である。
【発明を実施するための形態】
【００１７】
＜第１実施形態＞
以下に図面を参照して本発明の第１実施形態に係る空調システムについて説明する。
図１は、空調システムの構成を示す図である。図示するように、家屋や事業所などの施設の内部には、壁や天井などの仕切部材５で仕切られた部屋や廊下などの複数の空間１が存在している。本実施形態の空調システムは、大掛かりな構成を採用しなくても、それら複数の空間１での温度差を小さくするためのものである。
【００１８】
本実施形態の空調システムは、人が出入りするための出入口３を有し、その出入口３に扉４が設けられている空調対象空間１Ａの空調を行う空調装置２と、空調対象空間１Ａと出入口３によって繋がっている他の空間１Ｂとの間での空気の移動量を調節可能な空気移動量調節手段Ｍ１（Ｍ）とを備える。図１に示す例では、空調装置２によって空調が行われる部屋１Ａが上記空調対象空間に対応し、部屋１Ａと出入口３によって繋がっている廊下１Ｂが上記他の空間に対応する。
【００１９】
空調装置２は、部屋１Ａに滞在する利用者が操作するリモコン装置などから受け取った指令情報に応じて、暖房運転や冷房運転などの運転を行うことができる。また、空調装置２は、リモコン装置などから受け取った指令情報に応じて運転を停止することもできる。
【００２０】
空気移動量調節手段Ｍ１は、部屋１Ａと廊下１Ｂとの間を区画する仕切部材５又は扉４に設けられる。図１には、空気移動量調節手段Ｍ１が仕切部材５に設けられている例を示す。空気移動量調節手段Ｍ１は、空調装置２の運転状態に応じて部屋１Ａと廊下１Ｂとの間での空気の移動量を調節する。具体的には、空気移動量調節手段Ｍ１は、空調装置２による空調が行われていないとき、部屋１Ａから廊下１Ｂへの空気の移動量を相対的に少ない状態に調節し、空調装置２による空調が行われているとき、部屋１Ａと廊下１Ｂとの間での空気の移動量を相対的に多い状態に調節する。
【００２１】
図２は、第１実施形態の空気移動量調節手段Ｍ１の構成を示す図である。第１実施形態の空気移動量調節手段Ｍ１は、通気口６と遮蔽部材７と遮蔽部材駆動部８と制御部Ｃ１とを備える。
【００２２】
通気口６は、部屋１Ａと廊下１Ｂとの間を仕切る仕切部材５又は出入口３の扉４に設けられ、部屋１Ａと廊下１Ｂとを繋ぐように構成されている。図２には、仕切部材５に通気口６が設けられる、即ち、部屋１Ａと廊下１Ｂとを区画する壁（仕切部材５）を貫通するように通気口６が設けられる例を示す。従って、通気口６が開放されていれば、その通気口６を通って部屋１Ａと廊下１Ｂとの間で空気は移動可能である。
【００２３】
遮蔽部材７は、通気口６を覆うことが可能に構成されている。図２には、通気口６よりも大きい遮蔽部材７、即ち、通気口６を完全に覆い隠すことができる遮蔽部材７が設けられる例を示す。この例では、通気口６は矩形であり、遮蔽部材７は通気口６よりも大きな矩形の板材である。遮蔽部材７にはモーターなどの遮蔽部材駆動部８が連結されている。遮蔽部材駆動部８の動作は制御部Ｃ１が制御する。遮蔽部材７は、遮蔽部材駆動部８によって移動させられることで、仕切部材５の表面に沿ってスライド可能である。従って、遮蔽部材駆動部８は、遮蔽部材７を移動させることで、通気口６のうち、遮蔽部材７によって覆い隠されていない部分の面積（開口面積）を調節させることができる。例えば、遮蔽部材駆動部８は、遮蔽部材７を移動させることで、遮蔽部材７が通気口６を完全に覆い隠す状態や、遮蔽部材７が通気口６の一部又は全部を覆い隠さない（即ち、開放する）状態などを作り出すことができる。
【００２４】
遮蔽部材駆動部８が遮蔽部材７を移動させて通気口６の開口面積を調節することで、部屋１Ａと廊下１Ｂとの間での空気の移動量を調節可能である。例えば、通気口６の開口面積が相対的に大きくなると、部屋１Ａと廊下１Ｂとの間で単位時間当たりに移動できる空気量は多くなり、通気口６の開口面積が相対的に小さくなると、部屋１Ａと廊下１Ｂとの間で単位時間当たりに移動できる空気量は少なくなる。
【００２５】
空調装置２は、運転を開始すると、運転を開始したことを示す情報を有線通信又は無線通信により、空気移動量調節手段Ｍ１へ伝達する。空気移動量調節手段Ｍ１の制御部Ｃ１は、空調装置２が運転を停止しているとき、通気口６の開口面積が所定の第１値になるように、遮蔽部材駆動部８によって遮蔽部材７を移動させた状態に維持している。そして、空気移動量調節手段Ｍ１の制御部Ｃ１は、空調装置２が運転を開始したことを示す情報を受け取ると、通気口６の開口面積が上記第１値よりも大きい第２値になるように、遮蔽部材駆動部８によって遮蔽部材７を移動させる。その結果、運転している空調装置２によって温度や湿度などが調整された空気の、廊下１Ｂへの移動が相対的に促進される。
【００２６】
また、空調装置２は、運転を停止すると、運転を停止したことを示す情報を有線通信又は無線通信により、空気移動量調節手段Ｍ１へ伝達する。そして、空気移動量調節手段Ｍ１の制御部Ｃ１は、空調装置２が運転を停止したことを示す情報を受け取ると、通気口６の開口面積が上記第２値よりも小さい上記第１値になるように、遮蔽部材駆動部８によって遮蔽部材７を移動させる。その結果、部屋１Ａから廊下１Ｂへの空気の移動が相対的に妨げられる。
【００２７】
このように、空気移動量調節手段Ｍ１を設けることで、部屋１Ａで空調装置２が運転されているとき、部屋１Ａから、その部屋１Ａに隣接する廊下１Ｂへの空気の移動が相対的に促進される。その結果、廊下１Ｂの空気の温度を、空調装置２が運転している部屋１Ａの温度に近付けることができる。
また、部屋１Ａで空調装置２が運転されていないとき、部屋１Ａから、その部屋１Ａに隣接する廊下１Ｂへの空気の移動が相対的に妨げられる。その結果、部屋１Ａの温度及び廊下１Ｂの温度をそのままの状態で維持することができる。
【００２８】
以上のように、本実施形態では、空気移動量調節手段Ｍ１によって、部屋１Ａの空気（即ち、空調装置２によって温度が調節された空気）を廊下１Ｂへと移動させることができる。その結果、空調装置２が運転されている部屋１Ａに滞在している人間が、その部屋１Ａと出入口３によって繋がっている廊下１Ｂへと移動したときには、廊下１Ｂの温度が部屋１Ａの温度に近づいていることが期待できる。従って、大掛かりな構成を採用しなくても、複数の空間１の間での温度差を小さくして快適性を高めることができる空調システムを提供できる。このように隣接する部屋間の温度差を小さくできるので、人間が部屋間を移動するときのヒートショックを和らげること、即ち、急激な温度差を人間に与えないことができる。
【００２９】
＜第２実施形態＞
第２実施形態の空調システムは、空気移動量調節手段Ｍの構成が上記実施形態と異なっている。以下に第２実施形態の空調システムの構成を説明するが、上記実施形態と同様の構成については説明を省略する。
【００３０】
図３は、第２実施形態の空気移動量調節手段Ｍ２（Ｍ）の構成を示す図である。第２実施形態の空気移動量調節手段Ｍは、通気口６とファン９とファン駆動部１０と制御部Ｃ２とを備える。
【００３１】
通気口６は、部屋１Ａと廊下１Ｂとの間を仕切る仕切部材５又は出入口３の扉４に設けられ、部屋１Ａと廊下１Ｂとを繋ぐように構成されている。図３には、仕切部材５に通気口６が設けられる、即ち、部屋１Ａと廊下１Ｂとを区画する壁（仕切部材５）を貫通するように通気口６が設けられる例を示す。従って、常時開放されている通気口６を通って部屋１Ａと廊下１Ｂとの間で空気は移動可能である。
【００３２】
ファン９は、通気口６を通る空気の流れを作り出すことができるように構成されている。ファン９にはモーターなどのファン駆動部１０が連結され、ファン９はファン駆動部１０によって回転させられる。ファン駆動部１０の動作は制御部Ｃ２が制御する。そして、ファン９の回転速度が相対的に大きくなれば、通気口６を通る空気の単位時間当たりの流量は多くなり、ファン９の回転速度が相対的に小さくなれば、通気口６を通る空気の単位時間当たりの流量は少なくなる。つまり、ファン駆動部１０は、ファン９の回転速度を調節することで、部屋１Ａから廊下１Ｂへの通気口６を介した空気の移動量を調節可能である。
【００３３】
空調装置２は、運転を開始すると、運転を開始したことを示す情報を有線通信又は無線通信により、空気移動量調節手段Ｍ２へ伝達する。空気移動量調節手段Ｍ２の制御部Ｃ２は、空調装置２が運転を停止しているとき、ファン９の回転速度が所定の第１速度になるように、ファン駆動部１０によってファン９の回転速度を調節している。例えば、第１速度はゼロ（即ち、回転停止）である。そして、空気移動量調節手段Ｍ２の制御部Ｃ２は、空調装置２が運転を開始したことを示す情報を受け取ると、ファン９の回転速度が上記第１速度よりも大きい第２速度になるように、ファン駆動部１０によってファン９の回転速度を調節する。その結果、回転するファン９によって作り出される空気の流れによって、部屋１Ａで運転している空調装置２によって温度や湿度などが調整された空気の、廊下１Ｂへの移動が相対的に促進される。
【００３４】
また、空調装置２は、運転を停止すると、運転を停止したことを示す情報を有線通信又は無線通信により、空気移動量調節手段Ｍ２へ伝達する。そして、空気移動量調節手段Ｍ２の制御部Ｃ２は、空調装置２が運転を停止したことを示す情報を受け取ると、ファン９の回転速度が上記第２速度よりも小さい上記第１速度になるように、ファン駆動部１０によってファン９の回転速度を調節する。その結果、部屋１Ａから廊下１Ｂへの空気の移動が相対的に妨げられる。
【００３５】
このように、空気移動量調節手段Ｍ２を設けることで、部屋１Ａで空調装置２が運転されているとき、部屋１Ａから、その部屋１Ａに隣接する廊下１Ｂへの空気の移動が相対的に促進される。その結果、廊下１Ｂの空気の温度を、空調装置２が運転している部屋１Ａの温度に近付けることができる。
また、部屋１Ａで空調装置２が運転されていないとき、部屋１Ａから、その部屋１Ａに隣接する廊下１Ｂへの空気の移動が相対的に妨げられる。その結果、部屋１Ａの温度及び廊下１Ｂの温度をそのままの状態で維持することができる。
【００３６】
＜第３実施形態＞
第３実施形態の空調システムは、空気移動量調節手段Ｍを複数備えている点で上記実施形態と異なっている。以下に第３実施形態の空調システムの構成を説明するが、上記実施形態と同様の構成については説明を省略する。
【００３７】
図４は、第３実施形態の空気移動量調節手段Ｍの構成を示す図である。図示するように、第３実施形態の空調システムは、空気移動量調節手段Ｍを複数備えている。具体的には、空調システムは、相対的に上方に設けられている空気移動量調節手段Ｍ２ａと、相対的に下方に設けられている空気移動量調節手段Ｍ２ｂとを備える。図４では、上方に設けられている空気移動量調節手段Ｍ２ａ及び下方に設けられている空気移動量調節手段Ｍ２ｂが共に、第２実施形態で説明した空気移動量調節手段Ｍ２である場合を示している。また、図４では、空気移動量調節手段Ｍ２が扉４に設けられている例を示している。
【００３８】
尚、上方に設けられている空気移動量調節手段Ｍ２ａ及び下方に設けられている空気移動量調節手段Ｍ２ｂが共に、第１実施形態で説明した空気移動量調節手段Ｍ１であってもよい。或いは、上方に設けられている空気移動量調節手段Ｍ２ａ及び下方に設けられている空気移動量調節手段Ｍ２ｂを、第１実施形態で説明した空気移動量調節手段Ｍ１と第２実施形態で説明した空気移動量調節手段Ｍ２との組み合わせによって実現してもよい。
【００３９】
本実施形態の空調システムでは、空調装置２が暖房運転を行っているとき、複数の空気移動量調節手段Ｍのうち、相対的に上方に設けられている空気移動量調節手段Ｍ２ａによって、部屋１Ａから廊下１Ｂへの空気の移動量を相対的に多い状態に調節し、空調装置２が冷房運転を行っているとき、複数の空気移動量調節手段Ｍ２ｂのうち、相対的に下方に設けられている空気移動量調節手段Ｍ２ｂによって、部屋１Ａから廊下１Ｂへの空気の移動量を相対的に多い状態に調節する。
【００４０】
つまり、空調装置２が暖房運転を行っているとき、複数の空気移動量調節手段Ｍのうち、相対的に上方に設けられている空気移動量調節手段Ｍ２ａは、部屋１Ａから廊下１Ｂへの空気の移動量を相対的に多い状態に調節し、且つ、相対的に下方に設けられている空気移動量調節手段Ｍ２ｂは、部屋１Ａから廊下１Ｂへの空気の移動量を相対的に少ない状態に調節する。その結果、空調装置２が暖房運転を行っているとき、即ち、空調装置２によって暖められた空気が相対的に部屋１Ａの上方に留まっているとき、部屋１Ａの下方に存在している空気よりも、部屋１Ａの上方に存在している暖かい空気が、廊下１Ｂへと移動するようになる。例えば、相対的に上方に設けられている空気移動量調節手段Ｍ２ａのファン９の回転速度を相対的に大きくし、相対的に下方に設けられている空気移動量調節手段Ｍ２ｂのファン９の回転速度を相対的に小さくする。
【００４１】
これに対して、空調装置２が冷房運転を行っているとき、複数の空気移動量調節手段Ｍのうち、相対的に下方に設けられている空気移動量調節手段Ｍ２ｂは、部屋１Ａから廊下１Ｂへの空気の移動量を相対的に多い状態に調節し、且つ、相対的に上方に設けられている空気移動量調節手段Ｍ２ａは、部屋１Ａから廊下１Ｂへの空気の移動量を相対的に少ない状態に調節する。その結果、空調装置２が冷房運転を行っているとき、即ち、空調装置２によって冷やされた空気が相対的に部屋１Ａの下方に留まっているとき、部屋１Ａの上方に存在している空気よりも、部屋１Ａの下方に存在している冷たい空気が、廊下１Ｂへと移動するようになる。例えば、相対的に上方に設けられている空気移動量調節手段Ｍ２ａのファン９の回転速度を相対的に小さくし、相対的に下方に設けられている空気移動量調節手段Ｍ２ｂのファン９の回転速度を相対的に大きくする。
【００４２】
＜別実施形態＞
＜１＞
上記実施形態では、空調システムの構成について具体例を挙げて説明したが、その構成については適宜変更可能である。
例えば、上記実施形態において、「空調対象空間」と「他の空間」との組み合わせは、上述した部屋と廊下との組み合わせに限定されず適宜変更可能である。また、「他の空間」にも空調装置が設置されていてもよい。
【００４３】
＜２＞
上記実施形態では、空気移動量調節手段Ｍが、空調対象空間（部屋１Ａ）と他の空間（廊下１Ｂ）との間を区画する仕切部材５又は扉４に設けられる例を記載したが、空気移動量調節手段Ｍが他の部位に設けられるような構成変更を行ってもよい。例えば、空気移動量調節手段Ｍが、空調対象空間と他の空間との間を仕切る仕切部材５又は出入口３の扉４に設けられ、それら空調対象空間と他の空間とを繋ぐ通気口と、他の空間から空気を排出する排気手段とを備えるように構成してもよい。この場合の排気手段は、例えば部屋１Ａ（空調対象空間）と廊下１Ｂ（他の空間）との間を仕切る仕切部材５又は出入口３の扉４とは別の部位に設けられたファン及びファン駆動部などである。従って、排気手段が動作して廊下１Ｂ（他の空間）から空気が排出されると、その分の空気が部屋１Ａ（空調対象空間）と廊下１Ｂ（他の空間）との間の仕切部材５又は扉４に設けられる通気口６を通して部屋１Ａ（空調対象空間）から廊下１Ｂ（他の空間）へと流入する。つまり、排気手段によって、部屋１Ａ（空調対象空間）と廊下１Ｂ（他の空間）との間での空気の移動量を調節できる。
【００４４】
＜３＞
空調対象空間内に空気を導入可能な空気導入部が別に設けられていてもよい。例えば、外気等を空調対象空間に導入するための換気口としての空気導入部が、その空調対象空間に設けられていてもよい。空調対象空間がその換気口を通して外部と繋がった状態になっている場合、空気移動量調節手段Ｍが、空調対象空間（部屋１Ａ）から他の空間（廊下１Ｂ）への空気の移動量を相対的に少ない状態に調節しているときには、換気口を通して空調対象空間に流入する空気量も少なくなる。これに対して、空気移動量調節手段Ｍが、空調対象空間と他の空間との間での空気の移動量を相対的に多い状態に調節しているときには、換気口を通して空調対象空間に流入する空気量も多くなる。このように、換気口等の空気導入部を空調対象空間に設けることで、外気が空調対象空間に流入し、空調対象空間からは他の空間へ空気が流出するといった空気の流れが作り出されるようになる。
【００４５】
＜４＞
上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４６】
本発明は、大掛かりな構成を採用しなくても、複数の空間の間での温度差を小さくできる空調システムに利用できる。
【符号の説明】
【００４７】
１  空間
１Ａ  部屋（空調対象空間）
１Ｂ  廊下（他の空間）
２  空調装置
３  出入口
４  扉
５  仕切部材
６  通気口
７  遮蔽部材
８  遮蔽部材駆動部
９  ファン
１０  ファン駆動部
Ｃ１，Ｃ２  制御部
Ｍ（Ｍ１，Ｍ２）  空気移動量調節手段
Ｍ２ａ  上側空気移動量調節手段
Ｍ２ｂ  下側空気移動量調節手段
【図１】
2017116231.tif 000003
【図２】
2017116231.tif 000004
【図３】
2017116231.tif 000005
【図４】
2017116231.tif 000006